(57)【要約】  端末において、送信電力制御部は、複数の候補値のうち何れか１つを示す送信電力制御情報（TPCコマンド）を用いて上りチャネル（PUSCH）の送信電力を制御する。無線送信部は、上記送信電力で上りチャネルを送信する。複数の候補値のうち少なくとも１つには、送信電力の閉ループ制御（Closed loop制御）に用いる制御値（Closed loop補正値）をリセットする指示情報が対応付けられる。
2019069571.tif 000002
【特許請求の範囲】
【請求項１】
複数の候補値のうち何れか１つを示す送信電力制御情報を用いて上りチャネルの送信電力を制御する回路と、
前記送信電力で前記上りチャネルを送信する送信機と、
を具備し、
前記複数の候補値のうち少なくとも１つには、前記送信電力の閉ループ制御に用いる制御値をリセットする指示情報が対応付けられる、
端末。
【請求項２】
前記複数の候補値のうち、前記指示情報に対応付けられた候補値以外の候補値には、前記制御値を補正する補正値がそれぞれ対応付けられる、
請求項１に記載の端末。
【請求項３】
前記指示情報が対応付けられた候補値以外の候補値毎に、第１の補正値、及び、前記第１の補正値よりステップ幅が広い第２の補正値が対応付けられる、
請求項２に記載の端末。
【請求項４】
前記第１の補正値は、前記端末に設定されるビームの切替後からの所定期間内において使用される、
請求項３に記載の端末。
【請求項５】
前記第１の補正値は、前記端末に設定されるビーム幅が狭い場合に使用され、前記第２の補正値は、前記端末に設定されるビーム幅が広い場合に使用される、
請求項３に記載の端末。
【請求項６】
前記複数の候補値毎に、前記制御値を補正する補正値が対応付けられ、
前記補正値は、前記補正値の過去の値を累積して前記制御値を算出する第１のモードに対応する第１の補正値、及び、前記補正値の過去の値を累積せずに前記制御値を算出する第２のモードに対応する第２の補正値の何れかであり、
前記指示情報は、前記第２の補正値の何れかに対応する前記候補値に対応付けられる、
請求項１に記載の端末。
【請求項７】
前記指示情報は、前記第２の補正値のうち絶対値が最も小さい値に対応する前記候補値に対応付けられる、
請求項６に記載の端末。
【請求項８】
上りチャネルの送信電力の制御に用いる、複数の候補値のうち何れか１つを示す送信電力制御情報を生成する回路と、
前記送信電力で送信された前記上りチャネルを受信する受信機と、
を具備し、
前記複数の候補値のうち少なくとも１つには、前記送信電力の閉ループ制御に用いる制御値をリセットする指示情報が対応付けられる、
基地局。
【請求項９】
複数の候補値のうち何れか１つを示す送信電力制御情報を用いて上りチャネルの送信電力を制御し、
前記送信電力で前記上りチャネルを送信し、
前記複数の候補値のうち少なくとも１つには、前記送信電力の閉ループ制御に用いる制御値をリセットする指示情報が対応付けられる、
送信方法。
【請求項１０】
上りチャネルの送信電力の制御に用いる、複数の候補値のうち何れか１つを示す送信電力制御情報を生成し、
前記送信電力で送信された前記上りチャネルを受信し、
前記複数の候補値のうち少なくとも１つには、前記送信電力の閉ループ制御に用いる制御値をリセットする指示情報が対応付けられる、
受信方法。
【発明の詳細な説明】
【技術分野】
【０００１】
本開示は、端末、基地局、送信方法及び受信方法に関する。
【背景技術】
【０００２】
5Gの標準化において、LTE/LTE-Advancedとは必ずしも後方互換性を持たない新しい無線アクセス技術（NR：New Radio）が3GPPで議論されている。【０００３】
NR向けの端末（「UE（User Equipment）」と呼ぶこともある）の送信電力制御（TPC：Transmission Power Control）方法の議論では、LTEの送信電力制御方法（例えば、非特許文献１を参照）をベースとしてNR向けのビーム送受信（指向性送受信）等を考慮した機能拡張が検討されている。
【先行技術文献】
【非特許文献】
【０００４】
【非特許文献１】3GPP TS 36.213 V14.3.0, "Physical layer procedures (Release 14)" (2017-06)
【非特許文献２】3GPP TSG RAN WG1 Meeting #3, RAN1 Chairman's Notes, September 2017
【非特許文献３】R4-1707512, "CDF requirements for mmWave UEs", NTT DOCOMO, August 2017
【発明の概要】
【０００５】
しかしながら、NRにおける送信電力制御の方法については十分に検討がなされていない。
【０００６】
本開示の一態様は、適切に送信電力制御を行うことができる端末及び通信方法の提供に資する。
【０００７】
本開示の一態様に係る端末は、複数の候補値のうち何れか１つを示す送信電力制御情報を用いて上りチャネルの送信電力を制御する回路と、前記送信電力で前記上りチャネルを送信する送信機と、を具備し、前記複数の候補値のうち少なくとも１つには、前記送信電力の閉ループ制御に用いる制御値をリセットする指示情報が対応付けられる。
【０００８】
本開示の一態様に係る基地局は、上りチャネルの送信電力の制御に用いる、複数の候補値のうち何れか１つを示す送信電力制御情報を生成する回路と、前記送信電力で送信された前記上りチャネルを受信する受信機と、を具備し、前記複数の候補値のうち少なくとも１つには、前記送信電力の閉ループ制御に用いる制御値をリセットする指示情報が対応付けられる。
【０００９】
本開示の一態様に係る送信方法は、複数の候補値のうち何れか１つを示す送信電力制御情報を用いて上りチャネルの送信電力を制御し、前記送信電力で前記上りチャネルを送信し、前記複数の候補値のうち少なくとも１つには、前記送信電力の閉ループ制御に用いる制御値をリセットする指示情報が対応付けられる。
【００１０】
本開示の一態様に係る受信方法は、上りチャネルの送信電力の制御に用いる、複数の候補値のうち何れか１つを示す送信電力制御情報を生成し、前記送信電力で送信された前記上りチャネルを受信し、前記複数の候補値のうち少なくとも１つには、前記送信電力の閉ループ制御に用いる制御値をリセットする指示情報が対応付けられる。
【００１１】
なお、これらの包括的または具体的な態様は、システム、装置、方法、集積回路、コンピュータプログラム、または、記録媒体で実現されてもよく、システム、装置、方法、集積回路、コンピュータプログラムおよび記録媒体の任意な組み合わせで実現されてもよい。
【００１２】
本開示の一態様によれば、適切に送信電力制御を行うことができる。
【００１３】
本開示の一態様における更なる利点および効果は、明細書および図面から明らかにされる。かかる利点および／または効果は、いくつかの実施形態並びに明細書および図面に記載された特徴によってそれぞれ提供されるが、１つまたはそれ以上の同一の特徴を得るために必ずしも全てが提供される必要はない。
【図面の簡単な説明】
【００１４】
【図１】図１は、TPCコマンドテーブルの一例を示す。
【図２】図２は、Closed loop補正値リセット情報の一例を示す。
【図３】図３は、実施の形態１に係る端末の一部の構成を示す。
【図４】図４は、実施の形態１に係る基地局の一部の構成を示す。
【図５】図５は、実施の形態１に係る端末の構成を示す。
【図６】図６は、実施の形態１に係る基地局の構成を示す。
【図７】図７は、実施の形態１に係る端末及び基地局の動作例を示す。
【図８】図８は、実施の形態１の設定例１に係るTPCコマンドテーブルの一例を示す。
【図９】図９は、実施の形態１の設定例２に係るTPCコマンドテーブルの一例を示す。
【図１０】図１０は、実施の形態２に係るTPCコマンドテーブルの一例を示す。
【図１１】図１１は、実施の形態３に係る端末の構成を示す。
【図１２】図１２は、実施の形態３に係る基地局の構成を示す。
【図１３】図１３は、実施の形態３に係るTPCコマンドテーブルの切替の一例を示す。
【図１４】図１４は、実施の形態３に係るBPL切替後TPCコマンドテーブルの一例を示す。
【図１５】図１５は、実施の形態４に係る端末の構成を示す。
【図１６】図１６は、実施の形態４に係る基地局の構成を示す。
【図１７】図１７は、実施の形態４に係るTPCコマンドテーブルの一例を示す。
【図１８】図１８は、実施の形態４に係るTPCコマンドテーブルの一例を示す。
【発明を実施するための形態】
【００１５】
以下、本開示の実施の形態について図面を参照して詳細に説明する。
【００１６】
LTEでは、端末は、CC（Carrier component）毎に上りチャネルの送信電力制御を行う。式(1)は、LTEで用いられるPUSCH（Physical Uplink Shared Channel）の送信電力の定義式を示す（例えば、非特許文献１を参照）。
Ppusch(i) = min{Pcmax(i), 10log10 (Mpusch(i))
+ Po_pusch +α・PL +ΔTF(i)+ fc(i) }    (1)
【００１７】
式(1)において、iはsubframe番号（又はslot番号）を示し、PPUSCH(i)はsubframe番号=iにおけるPUSCHの送信電力を示し、Pcmax(i)はsubframe番号=iにおける端末の最大送信電力[dBm]を示し、Mpusch(i)はsubframe番号=iにおけるPUSCHの送信帯域幅[PRB]を示し、Po_puschは基地局(「eNB」又は「gNB」と呼ぶこともある)から予め設定されるパラメータ値[dBm]を示し、PLは端末が測定したパスロス（Path Loss）[dB]を示し、αはパスロスの補償割合を示す重み係数（予め設定される値）を示し、ΔTF(i)はsubframe番号=iにおける送信するデータのMCS（Modulation and Coding Scheme）に依存したオフセット[dB]を示し、fc(i)はsubframe番号=iにおけるClosed loop補正値を示す。
【００１８】
ここで、Closed loop補正値fc(i)の算出方法はTPCモードによって異なる。TPCモードには、「Accumulatedモード」及び「Absoluteモード」があり、端末毎に、RRC signalingによって準静的に適用モードが設定される。
【００１９】
Accumulatedモードは、式(2)に示すように、過去のTPCコマンド（以下では、TPCコマンド情報と呼ぶこともある）で指示された補正値δPUSCH [dB]（以降、「TPCコマンド補正値」と呼ぶ)を累積してfc(i)を算出する。なお、式(2)においてKPUSCHはTPCコマンド補正値の反映タイミングを示す。
fc (i) = fc (i - 1) + δPUSCH( i - KPUSCH)    (2)
【００２０】
Absoluteモードは、式(3)に示すように、過去のTPCコマンド補正値を累積せずにTPCコマンド補正値をそのまま使用してfc(i)を算出する。
fc (i) =δPUSCH( i - KPUSCH)    (3)
【００２１】
TPCコマンド補正値δPUSCHを指示するTPCコマンド情報は、制御情報（DCI：Downlink Control Information）に含まれ、PDCCH（Physical Downlink Control Channel）を用いて基地局から端末へ送信される。TPCコマンド情報に対応付けられるTPCコマンド補正値δPUSCH,c（単に「δPUSCH」と表すこともある）は、例えば、図１に示すように定義される(非特許文献1参照)。
【００２２】
また、LTEでは、Accumulatedモード時に式(1)に示すパラメータPo_puschが再設定される場合に、Closed loop補正値がリセットされる(fc(i) = 0とする)。つまり、LTEでは、パラメータの再設定に応じた間接的なリセット通知が規定されている。
【００２３】
一方、NRでは、式(4)に示すPUSCHの送信電力式が検討されている（例えば、非特許文献２を参照）。
Ppusch(i) = min{Pcmax(i), 10log10 (Mpusch(i)) + Po_pusch(j)
+α(j)・PL(k) +ΔTF(i)+ fc(i, l) }    (4)
【００２４】
式(4)において、iはslot番号（又はmini-slot番号）を示し、jはopen loopパラメータ番号を示し、kはパスロス測定用のRS（Reference Signal）リソース番号を示し、lはclosed loopプロセス番号を示す。
【００２５】
また、PL(k)は、RSリソース番号kを用いて端末が測定したパスロス[dB]を示す。すなわち、RSリソース番号kに適用されるビーム（指向性パターン）に応じてパスロスの値が変わる。
【００２６】
また、Po_pusch(j)及びα(j)は、open loopパラメータ番号#j毎に独立したパラメータ値である。例えば、PUSCHに適用するビーム、PUSCHのWaveform (CP-OFDM（Cyclic Prefix - Orthogonal Frequency Division Multiplexing）又はDFT-S-OFDM(Descrete Fourier Transform - Spread OFDM))、適用するNumerology（サブキャリ間隔等）、又は、サービス種別（eMBB（enhamced Mobile Broadband）、URLLC（Ultra-Reliable and Low Latency Communications）等）等によって、Po_pusch(j)及びα(j)には異なる値が設定される。
【００２７】
また、fc(i, l)は、closed loopプロセス番号lのClosed loop補正値である。例えば、PUSCHに適用するビーム、Waveform、Numerology、サービス種別等によって、fc(i, l)は独立した値を有する。
【００２８】
上記のように、NRでは、PUSCHに適用するビーム、Waveform、Numerology、サービス種別等によって、PUSCHの送信電力算出に用いるパラメータが動的に変わる。
【００２９】
このようなNRのPUSCHの送信電力制御においては、LTEのPUSCH送信電力制御と同様に、PUSCHのビーム、Waveform等に伴うパラメータの変更に応じてClosed loop補正値fc(i, l)をリセットする方法（つまり、fc(i, l) = 0にする方法）では効率が悪く、性能劣化を招くことが懸念される。また、Closed loop補正値fc(i, l)のリセット後に送信電力制御値が最適値に収束するまでの期間は、所望信号電力の低下又は与干渉電力の増加により、システム性能が劣化する可能性がある。
【００３０】
このため、NRでは、Closed loop補正値fc(i, l)の明示的なリセット通知方法について検討する必要がある。
【００３１】
例えば、Closed loop補正値fc(i, l)のリセットタイミングは、基地局によってDCI Signalingを用いて動的に指示することが考えられる。また、例えば、同一のTRP（Transmission and Reception Point、基地局と光ファイバなどで接続される送受信ポイント）内のビーム切替のように送信電力の最適値が大きく変わらないと想定される環境では、基地局はClosed loop補正値fc(i, l)のリセットを端末に指示しない。一方、異なるTRP間のビーム切替のように送信電力値の最適値が大きく変わる可能性がある環境では、基地局はClosed loop補正値のリセットを端末に指示する。
【００３２】
図２は、Closed loop補正値fc(i, l)のリセットを明示的に通知する方法の一例として、Closed loop補正値リセット情報（DCI）に対するリセットフラグを示す。しかしながら、図２に示すように、Closed loop補正値のリセットフラグを新たに追加すると、単純にDCIの情報量が1bit増加し、オーバーヘッドが増加してしまう。
【００３３】
このように、NRにおけるClosed loop補正値の明示的なリセット通知方法については十分に検討されていない。そこで、本開示の一態様では、Closed loop補正値のリセットを適切に通知する方法について説明する。
【００３４】
（実施の形態１）
［通信システムの概要］
本開示の一実施の形態に係る通信システムは、端末１００及び基地局２００を備える。
【００３５】
図３は本開示の実施の形態に係る端末１００の一部の構成を示すブロック図である。図３に示す端末１００において、送信電力制御部１０５は、複数の候補値のうち何れか１つを示す送信電力制御情報（TPCコマンド情報）を用いて上りチャネル（例えば、PUSCH）の送信電力を制御する。無線送信部１０８は、上記送信電力で上りチャネルを送信する。
【００３６】
図４は本開示の実施の形態に係る基地局２００の一部の構成を示すブロック図である。図４に示す基地局２００において、スケジューリング部２０５は、上りチャネル（例えば、PUSCH）の送信電力制御に用いる、複数の候補値のうち何れか１つを示す送信電力制御情報（TPCコマンド情報）を生成する。無線受信部２０２は、上記送信電力で送信された上りチャネルを受信する。
【００３７】
ここで、上記複数の候補値のうち少なくとも１つには、送信電力の閉ループ制御（Closed loop制御）に用いる制御値（Closed loop補正値）をリセットする指示情報が対応付けられる。
【００３８】
［端末の構成］
図５は、本実施の形態に係る端末１００の構成を示すブロック図である。端末１００は、基地局２００の指示に基づいてPUSCHを基地局２００へ送信する。
【００３９】
図５において、端末１００は、アンテナ１０１と、無線受信部１０２と、復調・復号部１０３と、TPCコマンド制御部１０４と、送信電力制御部１０５と、データ生成部１０６と、符号化・変調部１０７と、無線送信部１０８と、を有する。
【００４０】
無線受信部１０２は、アンテナ１０１を介して受信した受信信号に対して、ダウンコンバート、Ａ／Ｄ変換等の受信処理を施し、受信信号を復調・復号部１０３へ出力する。
【００４１】
復調・復号部１０３は、無線受信部１０２から入力される受信信号に対して復調及び復号を行い、復号結果から、基地局２００から送信された端末１００宛てのPUSCHリソース情報、及び、送信電力情報を抽出する。復調・復号部１０３は、抽出した情報を送信電力制御部１０５及びデータ生成部１０６に出力する。
【００４２】
PUSCHリソース情報には、例えば、周波数リソース情報（例えば、送信帯域幅、送信帯域位置（PRB番号又はブロック番号等）、時間リソース情報（例えば、PUSCHを送信するslot番号、OFDMシンボル番号等）、又は、PUSCHに対するMCS等が含まれる。
【００４３】
また、送信電力情報には、TPCコマンド情報に加え、例えば、式(4)に示すPUSCH送信電力の算出に用いられるパラメータ等が含まれる。
【００４４】
なお、全てのPUSCHリソース情報又は送信電力情報が端末１００に対して同時に通知される必要はない。例えば、送信電力情報の一部の情報はセル共通情報として、又は、準静的な通知情報として端末１００に通知されてもよい。また、送信電力情報の一部の情報は、例えば、システム共通情報としてスペックで規定され、基地局２００から端末１００に通知されなくてもよい。
【００４５】
TPCコマンド制御部１０４は、TPCコマンド情報と、TPCコマンド補正値δPUSCHとの対応付け（例えば、テーブル（以下、「TPCコマンドテーブル」と呼ぶ）を保持し、送信電力制御部１０５へ出力する。TPCコマンドテーブルは、基地局２００から端末１００へ通知されてもよく、スペックで規定されてもよい。なお、TPCコマンドテーブルの設定方法の詳細については後述する。
【００４６】
送信電力制御部１０５は、復調・復号部１０３から入力されるPUSCHリソース情報及び送信電力情報に基づいて、PUSCHの送信電力を計算する。具体的には、送信電力制御部１０５は、送信電力算出式（例えば、式(4)）において用いられるパラメータ（Pcmax(i), Mpusch(i), Po_pusch(j), α(j), PL(k), ΔTF(i), fc(i, l) 等）を求める。
【００４７】
ここで、TPCモードがAccumulatedモードの場合、送信電力制御部１０５は、過去のClosed loop補正値fc(i-1, l)に、今回通知されたTPCコマンド情報に対応するTPCコマンド補正値δPUSCHを累積することにより、スロット番号iにおけるClosed loop補正値fc(i, l)を算出する。この際、送信電力制御部１０５は、TPCコマンド制御部１０４から出力されたTPCコマンドテーブルを参照して、TPCコマンド情報に対応するTPCコマンド補正値δPUSCHを決定する。そして、送信電力制御部１０５は、算出したPUSCHの送信電力を示す情報を無線送信部１０８へ出力する。
【００４８】
データ生成部１０６は、復調・復号部１０３から入力される情報（例えば、基地局２００から指示されるMCS、情報ビットサイズ等）に基づいて、端末１００が送信するデータを生成する。データ生成部１０６は、生成した送信データを符号化・変調部１０７へ出力する。
【００４９】
符号化・変調部１０７は、データ生成部１０６から入力される送信データを符号化及び変調し、変調後のデータ信号を無線送信部１０８に出力する。
【００５０】
無線送信部１０８は、符号化・変調部１０７から入力される信号に対してＤ／Ａ変換、アップコンバートを施し、得られた無線信号を、送信電力制御部１０５から入力される送信電力でアンテナ１０１から基地局２００へ送信する。
【００５１】
［基地局の構成］
図６は、本実施の形態に係る基地局２００の構成を示すブロック図である。基地局２００は、端末１００に対してPUSCHのスケジューリング（送信電力制御を含む）を行う。
【００５２】
図６において、基地局２００は、アンテナ２０１と、無線受信部２０２と、復調・復号部２０３と、TPCコマンド制御部２０４と、スケジューリング部２０５と、制御情報生成部２０６と、符号化・変調部２０７と、無線送信部２０８とを有する。
【００５３】
無線受信部２０２は、アンテナ２０１を介して受信した端末１００からの信号に対してダウンコンバート、Ａ／Ｄ変換等の受信処理を施し、受信信号を復調・復号部２０３へ出力する。
【００５４】
復調・復号部２０３は、無線受信部２０２から入力される受信信号を復調及び復号し、復号結果（受信誤りの有無（受信OK又は受信NG））をスケジューリング部２０５へ出力する。
【００５５】
TPCコマンド制御部２０４は、TPCコマンド情報と、TPCコマンド補正値δPUSCHとの対応付けを示すTPCコマンドテーブルを保持し、スケジューリング部２０５へ出力する。TPCコマンド制御部２０４が保持するTPCコマンドテーブルは、端末１００（TPCコマンド制御部１０４）が保持するテーブルと同一である。TPCコマンドテーブルは、基地局２００から端末１００へ通知されてもよく、スペックで規定されてもよく、端末１００と基地局２００との間で一意に対応付けられている。なお、TPCコマンドテーブルの設定方法の詳細については後述する。
【００５６】
スケジューリング部２０５は、基地局２００に収容される端末（端末１００を含む）が送信する参照信号（図示せず）に基づいて各端末の品質情報（例えば、受信電力又は受信SINR（Signal to Interference and Noise Ratio）等）を推定する。そして、スケジューリング部２０５は、推定した品質情報に基づいて、収容端末に対して、PUSCHを含む上りチャネルのスケジューリング（無線リソース割当、又は、送信電力制御等）を行う。また、スケジューリング部２０５は、復調・復号部２０３から入力される復号結果が受信NGの場合、該当する端末に対してPUSCHの再送制御を行う。
【００５７】
また、スケジューリング部２０５は、TPCコマンド制御部２０４から入力されるTPCコマンドテーブルを参照して、PUSCHの目標受信電力と実際の受信電力との差分値に基づいてTPCコマンド情報を決定（生成）する。具体的には、スケジューリング部２０５は、PUSCHの目標受信電力と実際の受信電力との差分値に最も近いTPCコマンド補正値δPUSCHをTPCコマンドテーブルから選択し、対応するTPCコマンド情報を決定する。
【００５８】
スケジューリング部２０５は、決定したスケジューリング情報（TPCコマンド情報を含む）を制御情報生成部２０６に出力する。
【００５９】
制御情報生成部２０６は、スケジューリング部２０５からの指示に基づいて、端末１００に通知するためのスケジューリング情報（TPCコマンド情報を含む）を含む制御信号を生成し、符号化・変調部２０７へ出力する。
【００６０】
符号化・変調部２０７は、制御情報生成部２０６から入力される制御信号を符号化及び変調し、変調後の信号を無線送信部２０８へ出力する。
【００６１】
無線送信部２０８は、符号化・変調部２０７から入力される信号に対してＤ／Ａ変換、アップコンバート、増幅等の送信処理を施し、送信処理により得られた無線信号をアンテナ２０１から端末１００へ送信する。
【００６２】
［端末１００及び基地局２００の動作］
以上の構成を有する端末１００及び基地局２００における動作について詳細に説明する。
【００６３】
図７は端末１００（図５）及び基地局２００（図６）の動作を示すシーケンス図である。
【００６４】
基地局２００は、端末１００に対する送信電力制御を行い、端末１００において送信電力制御に用いるTPCコマンド情報を決定する（ＳＴ１０１）。例えば、基地局２００は、後述するTPCコマンドテーブルを参照して、TPCコマンド補正値δPUSCH又はClosed loop補正値fc(i, l)をリセットする指示情報に対応するTPCコマンド情報（候補値）を選択する。そして、基地局２００は、PUSCHリソース情報、及び、ＳＴ１０１で決定したTPCコマンド情報を含む送信電力情報を端末１００へ送信する（ＳＴ１０２）。
【００６５】
端末１００は、ＳＴ１０２において基地局２００から通知される送信電力情報（TPCコマンド情報）を用いて、PUSCHの送信電力（例えば、式(4)を参照）を決定する（ＳＴ１０３）。そして、端末１００は、ＳＴ１０２で受信したPUSCHリソース情報、及び、ＳＴ１０３で決定した送信電力に基づいて、PUSCHを基地局２００へ送信する（ＳＴ１０４）。すなわち、基地局２００は、ＳＴ１０１で決定したＴＰＣコマンド情報に基づく送信電力で送信されたPUSCHを端末１００から受信する。
【００６６】
［TPCコマンドテーブルの設定］
次に、端末１００のTPCコマンド制御部１０４及び基地局２００のTPCコマンド制御部２０４が保持するTPCコマンドテーブルの設定方法について詳細に説明する。
【００６７】
ここで、Closed loop補正値fc(i, l)のリセットを指示するタイミングでは、TPCコマンド（LTEと同様のTPCコマンド）を用いた送信電力制御は不要である。すなわち、Closed loop補正値fc(i, l)のリセットを指示するタイミングでは、TPCコマンド情報によるTPCコマンド補正値δPUSCHの通知は不要である。
【００６８】
そこで、本実施の形態では、TPCコマンド情報に、Closed loop補正値fc(i, l)をリセットする指示情報を含める。すなわち、TPCコマンド情報の候補値のうち少なくとも１つには、Closed loop補正値fc(i, l)をリセットする指示情報が対応付けられる。また、TPCコマンド情報の候補値のうち、Closed loop補正値fc(i, l)をリセットする指示情報が対応付けられた候補値以外の候補値には、Closed loop補正値fc(i, l)を補正するTPCコマンド補正値δPUSCHがそれぞれ対応付けられる。
【００６９】
すなわち、端末１００は、TPCコマンド情報によってClosed loop補正値fc(i, l)のリセットが指示された場合には、Closed loop補正値fc(i, l)をリセットする。一方、端末１００は、TPCコマンド情報によって送信電力制御値（TPCコマンド補正値δPUSCH）が指示された場合にはClosed loop補正値fc(i, l)をリセットしない。
【００７０】
以下、TPCコマンドテーブルの設定例１，２について説明する。
【００７１】
＜設定例１：TPCコマンド情報が2bitsの場合＞
図８は、設定例１に係る、TPCコマンド情報が2bits（つまり、LTEのTPCコマンド情報と同様）の場合のTPCコマンドテーブルの一例を示す。
【００７２】
図８に示すTPCコマンドテーブルでは、TPCコマンド情報の候補値０〜３のうち、「1」には、Closed loop補正値fc(i, l)の「リセット（Reset）」が対応付けられている。また、図８に示すTPCコマンドテーブルでは、TPCコマンド情報の候補値0〜3のうち、「1」以外の候補値（0，2，3）に対して、TPCコマンド補正値δPUSCHの各値（-1，1，3）がそれぞれ対応付けられている。
【００７３】
端末１００（送信電力制御部１０５）は、基地局２００から通知されるTPCコマンド情報が「1」の場合、Closed loop補正値fc(i, l)をリセットする。一方、端末１００は、基地局２００から通知されるTPCコマンド情報が「1」以外の場合、Closed loop補正値fc(i, l)をリセットせずに、TPCコマンド情報に対応するTPCコマンド補正値δPUSCHを、過去のClosed loop補正値fc(i, l)に累積し（式(2)の計算を行う）、PUSCHの送信電力を算出する（式(4)の計算を行う）。
【００７４】
設定例１により、LTEのTPCコマンド情報（例えば、図１を参照）と比較して、TPCコマンド情報の情報量を増やすことなく、Closed loop補正値fc(i, l)のリセットを基地局２００から端末１００へ指示することができる。
【００７５】
なお、図８に示すTPCコマンド情報「１」では、LTEでは指示可能である制御値（図８の場合、TPCコマンド補正値δPUSCH=0に相当）の指示ができず、送信電力制御の収束時間が長くなる可能性がある。しかし、図８に示すように、TPCコマンド補正値δPUSCH=-1〜3の範囲のうち、絶対値が最も小さいTPCコマンド補正値δPUSCH=0の代わりに、リセットの指示が割り当てられることで、Closed loop補正値の変動幅（補正範囲）が制限されることを防ぎ、送信電力制御の収束時間の増加を防ぐことができる。
【００７６】
＜設定例２：TPCコマンド情報が3bitsの場合＞
図９は、設定例２に係る、TPCコマンド情報が3bitsの場合のTPCコマンドテーブルの一例を示す。なお、3bitsのTPCコマンド情報は、例えば、図１に示すLTEのTPCコマンド情報（2bits）に、図２に示すClosed loop補正値リセットフラグ情報（1bit）を追加した場合と同一の情報量である。
【００７７】
図９に示すTPCコマンドテーブルでは、TPCコマンド情報の候補値0〜7のうち、「0」には、Closed loop補正値fc(i, l)の「リセット（Reset）」が対応付けられている。また、図９に示すTPCコマンドテーブルでは、TPCコマンド情報の候補値0〜7のうち、「0」以外の候補値（1〜7）に対して、TPCコマンド補正値δPUSCHの各値（-5，-3，-1，0，1，3，5）がそれぞれ対応付けられている。
【００７８】
端末１００（送信電力制御部１０５）は、基地局２００から通知されるTPCコマンド情報が「0」の場合、Closed loop補正値fc(i, l)をリセットする。一方、端末１００は、基地局２００から通知されるTPCコマンド情報が「0」以外の場合、Closed loop補正値fc(i, l)をリセットせずに、TPCコマンド情報に対応するTPCコマンド補正値δPUSCHを、過去のClosed loop補正値fc(i, l)に累積し（式(2)の計算を行う）、PUSCHの送信電力を算出する（式(4)の計算を行う）。
【００７９】
設定例２により、LTEのTPCコマンド情報（例えば、図１を参照）と比較して、TPCコマンド情報の情報量が1bit増加するものの、TPCコマンド情報を用いて、TPCコマンド補正値δPUSCH及びClosed loop補正値fc(i, l)のリセットの双方を指示することができる。
【００８０】
また、例えば、TPCコマンド情報及びClosed loop補正値のリセットの双方を通知するために、図１に示すLTEのTPCコマンド情報（2bits）及び図２に示すClosed loop補正値リセットフラグ情報（1bit）を用いる場合（合計3bits）、４通りのTPCコマンド補正値δPUSCH及びClosed loop補正値のリセットの通知が可能となる。これに対して、図９に示すTPCコマンド情報（3bits）では、LTE（図１）にはない新規のTPCコマンド補正値δPUSCH（図９の場合、-5，-3，5）の通知が可能となる。すなわち、図９では、図１及び図２と比較して、使用するビット数（3bits）を増やすこと無く、通知可能なTPCコマンド補正値δPUSCHの数が増加する。これにより、制御情報のオーバーヘッドの増加を抑えつつ、TPCコマンド補正値δPUSCHによるClosed loop補正値fc(i, l)の補正範囲を広げて、送信電力制御の性能を改善でき、最適な送信電力に収束させるまでの時間を短縮できる。
【００８１】
以上、設定例１、２についてそれぞれ説明した。
【００８２】
このように、本実施の形態では、Closed loop補正値fc(i, l)のリセットを指示する情報は、基地局２００から端末１００へ通知されるTPCコマンド情報に含まれる。これにより、本実施の形態では、基地局２００は、端末１００に対して、Closed loop補正値fc(i, l)の動的なリセット指示を効率的に行うことができる。また、本実施の形態では、TPCコマンド情報を用いて、LTEのTPCコマンド情報（TPCコマンド補正値）に加え、新規のTPCコマンド補正値を追加できる。これにより、本実施の形態によれば、制御情報のオーバーヘッドの増加を抑えつつ、送信電力制御の性能を向上できる。
【００８３】
以上のように、本実施の形態によれば、Closed loop補正値のリセットを適切に通知し、送信電力制御を行うことができる。
【００８４】
（実施の形態２）
本実施の形態に係る端末及び基地局は、実施の形態１に係る端末１００及び基地局２００と基本構成が共通するので、図５及び図６を援用して説明する。
【００８５】
本実施の形態では、端末１００のTPCコマンド制御部１０４及び基地局２００のTPCコマンド制御部２０４の動作（TPCコマンドテーブルの設定）が実施の形態１と異なる。
【００８６】
図１０は、本実施の形態に係るTPCコマンドテーブルの一例を示す。
【００８７】
図１０に示すTPCコマンドテーブルには、各TPCコマンドモード（Absoluteモード及びAccumulatedモード）のTPCコマンド補正値δPUSCHが含まれる。例えば、図１０では、TPCコマンド情報の候補値0〜2の各々には、AbsoluteモードのTPCコマンド補正値δPUSCHの各値（-1，0，1）がそれぞれ対応付けられている。また、図１０では、TPCコマンド情報の候補値3〜7の各々には、AccumulatedモードのTPCコマンド補正値δPUSCHの各値（-3，-1，0，1，3）がそれぞれ対応付けられている。
【００８８】
さらに、図１０では、AbsoluteモードのTPCコマンド補正値δPUSCH=0を指示するTPCコマンド情報の候補値「1」に対して、AccumulatedモードにおけるClosed loop補正値fc(i, l)の「リセット（Reset）」が対応付けられている。
【００８９】
端末１００（送信電力制御部１０５）は、基地局２００から通知される制御情報（PUSCHリソース情報及び送信電力情報）に基づいてPUSCHの送信電力を算出する。端末１００は、実施の形態１と同様、制御情報に基づいて、送信電力算出式（式(2)又は式(3)）に用いるパラメータ（例えば、fc(i, l)）を求める。
【００９０】
例えば、端末１００は、Accumulatedモードでは、基地局２００から通知されるTPCコマンド情報が3〜7の何れかである場合、Closed loop補正値fc(i, l)をリセットせずに、TPCコマンド情報に対応するTPCコマンド補正値δPUSCHを、過去のClosed loop補正値fc(i, l)に累積することにより、slot番号iにおけるClosed loop補正値fc(i, l)を算出する。
【００９１】
また、端末１００は、Accumulatedモードでは、基地局２００から通知されるTPCコマンド情報が1である場合、Closed loop補正値fc(i, l)をリセットする。
【００９２】
一方、端末１００は、Absoluteモードでは、基地局２００から通知されるTPCコマンド情報が0〜2の何れかである場合、TPCコマンド情報に対応するTPCコマンド補正値δPUSCHをそのまま用いて、slot番号iにおけるClosed loop補正値fc(i, l)を算出する。
【００９３】
すなわち、図１０に示すTPCコマンドテーブルにおいて、TPCコマンド情報＝１は、AbsoluteモードのTPCコマンド補正値δPUSCH=0dB、及び、AccumulatedモードのClosed loop補正値のリセットの双方に対応する。
【００９４】
ここで、AccumulatedモードにおいてClosed loop補正値をリセットすること（fc(i, l)=0）は、AbsoluteモードにおいてTPCコマンド補正値δPUSCH=0dBに設定することに相当する。すなわち、図１０では、Closed loop補正値のリセットに相当するAbsoluteモードのTPCコマンド補正値δPUSCH（=0dB）と同一のTPCコマンド情報に、Closed loop補正値のリセットが対応付けられている。
【００９５】
このように、本実施の形態では、TPCコマンド情報の複数の候補値の各々には、Accumulatedモードに対応するTPCコマンド補正値、及び、Absoluteモードに対応するTPCコマンド補正値が対応付けられる。また、Closed loop補正値をリセットする指示情報は、TPCコマンド情報の複数の候補値のうち、AbsoluteモードのTPCコマンド補正値の何れかに対応する候補値に対応付けられる。具体的には、AccumulatedモードにおけるClosed loop補正値のリセットの指示と、AbsoluteモードにおけるTPCコマンド補正値δPUSCH=0dB（つまり、fc(i, l)=0）の設定の指示とで、同一のTPCコマンド情報を共有する。
【００９６】
これにより、LTEのTPCコマンド情報（例えば、図１を参照）と比較して、TPCコマンド情報の情報量が1bit増加するものの、TPCコマンド情報を用いて、TPCコマンド補正値δPUSCH及びClosed loop補正値fc(i, l)のリセットの双方を指示することができる。
【００９７】
また、図１０に示すように、Closed loop補正値fc(i, l)のリセットの指示情報は、AccumulatedモードにおけるClosed loop補正値fc(i, l)のリセットの指示情報がAbsoluteモードのTPCコマンド補正値と同一のTPCコマンド情報を用いて通知される。これにより、本実施の形態では、AccumulatedモードのTPCコマンド補正値の全ての値が指示可能となる。
【００９８】
さらに、本実施の形態では、TPCコマンド情報を用いて、TPCコマンドモード（Absoluteモード及びAccumulatedモード）の切替を動的に行うことができる。例えば、端末１００は、TPCコマンド情報が0〜2の場合にAbsoluteモードに切り替え、TPCコマンド情報が3〜7の場合にAccumulatedモードに切り替えてもよい。
【００９９】
また、例えば、TPCコマンド情報及びClosed loop補正値のリセットの双方を通知するために、図１に示すLTEのTPCコマンド情報（2bits）及び図２に示すClosed loop補正値リセットフラグ情報（1bit）を用いる場合（合計3bits）、４通りのTPCコマンド補正値δPUSCH及びClosed loop補正値のリセットの通知が可能となる。これに対して、図１０に示すTPCコマンド情報（3bits）では、LTE（図１）にはない新規のTPCコマンド補正値δPUSCH（図１０の場合、-3）の通知が可能となる。すなわち、図１０では、図１及び図２と比較して、使用するビット数（3bits）を増やすこと無く、通知可能なTPCコマンド補正値δPUSCHの数が増加する。これにより、制御情報のオーバーヘッドの増加を抑えつつ、TPCコマンド補正値δPUSCHによるClosed loop補正値fc(i, l)の補正範囲を広げて、送信電力制御の性能を改善でき、最適な送信電力に収束させるまでの時間を短縮できる。
【０１００】
なお、図１０では、AbsoluteモードのTPCコマンド補正値のうち絶対値が最も小さい値（δPUSCH=0）に対応するTPCコマンド情報（1）に、AccumulatedモードのClosed loop補正値をリセットする指示情報を対応付ける場合について説明した。しかし、AccumulatedモードのClosed loop補正値をリセットする指示情報は、AbsoluteモードのδPUSCH=0に限らず、AbsoluteモードのTPCコマンド補正値に対応するTPCコマンド情報（候補値）に対応付けられればよい。例えば、端末１００は、Accumulatedモードの送信電力制御を行っている場合に、リセットの指示情報に対応するTPCコマンド情報を受信した場合、当該TPCコマンド情報を、AbsoluteモードのTPCコマンド補正値δPUSCHとしてではなく、AccumulatedモードにおけるClosed loop補正値のリセット指示として認識すればよい。
【０１０１】
（実施の形態３）
本実施の形態では、NRにおいて適用されるビームフォーミングを考慮したTPCコマンドテーブルの設定方法について説明する。
【０１０２】
NRでは、ビームフォーミングの適用時における送信ビームと受信ビームとのペアは、「BPL（Beam pair link）」と呼ばれる。すなわち、送信ビーム又は受信ビームの何れかが変更された場合は、異なるBPL番号になる。また、制御の簡易化のために、複数のBPLをまとめた「BPL group」と呼ばれる単位でビームフォーミングの制御が行われることが考えられる。
【０１０３】
ここで、ビームフォーミングの制御のためにBPLが切り替えられた直後は、BPLの切替前と比較して、BPL間のビームゲインを含むパスロス推定誤差又はBPL間の干渉レベルが大きく異なる可能性がある。そのため、BPL切替直後は送信電力制御が正しく機能せずに送信信号がターゲットとするSINR（Signal to Interference and Noise Ratio）に達しなくなる、又は、他セルへの干渉が大きくなる課題が生じる。
【０１０４】
また、ビーム毎の干渉レベルは動的に変動するため、BPL毎に準静的なopen loop制御用パラメータ(α(j)、Po_pusch(j)等)を設定するだけでは、BPL切替直後の品質誤差の補正としては不十分である。よって、基地局から通知されるTPCコマンド情報（TPCコマンド補正値）によるClosed loop制御によってBPL切替直後の品質誤差を補正する必要がある。
【０１０５】
しかしながら、各ビームゲインは最大20dBの差が想定される（例えば、非特許文献３を参照）。よって、LTEと同様のTPCコマンド補正値のステップ幅では、BPL切替直後の品質誤差を補正するための収束時間が長くなってしまい、送信電力制御値が最適値に収束するまでの期間において所望信号電力の低下又は与干渉電力の増加によりシステム性能が劣化する可能性がある。
【０１０６】
そこで、本実施の形態では、BPL切替直後は、通常時（BPL切替直後の期間以外の期間）に用いるTPCコマンド補正値のステップ幅と異なるTPCコマンド補正値のステップ幅を有するTPCコマンドテーブルを使用する。
【０１０７】
［端末の構成］
図１１は、本実施の形態に係る端末３００の構成を示すブロック図である。なお、図１１において、実施の形態１（図５）と同様の構成には同一の符号を付し、その説明を省略する。具体的には、図１１では、BPL切替判定部３０１が追加されたこと、及び、TPCコマンド制御部３０２の動作が実施の形態１と異なる。
【０１０８】
BPL切替判定部３０１は、復調・復号部１０３から入力される制御情報に含まれるビーム判別情報を用いて、BPL切替が発生したか否かを判定する。ビーム判別情報は、例えば、SRI（SRS resource indicator）、CRI（CSI-RS resource indicator）又はbeam indicator等のうちの少なくとも１つでもよい。なお、ビーム判別情報は、SRI、CRI及びbeam indicatorに限定されず、BPL切替の有無を判定可能なパラメータであればよい。
【０１０９】
BPL切替の判定方法として、例えば、BPL切替判定部３０１は、基地局４００（後述する）から前回指示されたビーム判別情報を保持し、基地局４００から新たに通知されたビーム判別情報と、保持しているビーム判別情報とを比較して、異なる値を示している場合にBPL切替が発生したと判断してもよい。
【０１１０】
なお、BPL切替が発生したか否かの判定方法は、ビーム判別情報を用いる方法に限らず、送信電力パラメータセット（power control parameter set）等の他の情報を用いる方法でもよい。また、ビーム判別情報は、下り制御情報（例えば、DCI）で通知される必要はない。ビーム判別情報の一部の情報は、セル共通情報として、又は、準静的な通知情報として端末３００に通知されてもよい。
【０１１１】
BPL切替判定部３０１は、BPL切替が発生したか否かを示すBPL切替情報をTPCコマンド制御部３０２へ出力する。
【０１１２】
TPCコマンド制御部３０２は、TPCコマンド情報とTPCコマンド補正値δPUSCHとの対応付けを示すTPCコマンドテーブルとして、BPL切替直後に用いるTPCコマンドテーブル（「BPL切替後TPCコマンドテーブル」と呼ぶ）、及び、BPL切替直後以外に用いるTPCコマンドテーブル（「通常時TPCコマンドテーブル」と呼ぶ）を、保持する。換言すると、TPCコマンドテーブルにおいて、TPCコマンド情報の複数の候補値の各々には、通常時に用いるTPCコマン補正値、及び、BPL切替後に用いるTPCコマンド補正値の２つの制御値が対応付けられている。
【０１１３】
なお、BPL切替後TPCコマンドテーブル及び通常時TPCコマンドテーブルの詳細については後述する。
【０１１４】
TPCコマンド制御部３０２は、BPL切替判定部３０１から入力されるBPL切替情報においてBPL切替が発生したことが示される場合、BPL切替後TPCコマンドテーブルの情報を送信電力制御部１０５へ出力する。一方、TPCコマンド制御部３０２は、BPL切替判定部３０１から入力されるBPL切替情報においてBPL切替が発生していないことが示される場合、通常時TPCコマンドテーブルの情報を送信電力制御部１０５へ出力する。
【０１１５】
［基地局の構成］
図１２は、本実施の形態に係る基地局４００の構成を示すブロック図である。なお、図１２において、実施の形態１（図６）と同様の構成には同一の符号を付し、その説明を省略する。具体的には、図１２では、BPL制御部４０１が追加されたこと、及び、TPCコマンド制御部４０２の動作が実施の形態１と異なる。
【０１１６】
BPL制御部４０１は、復調・復号部２０３から入力される、収容端末から送信される参照信号（図示せず）に基づいて各端末の品質情報を測定し、品質情報に基づいて、BPL切替が必要か否かを判断する。例えば、BPL制御部４０１は、品質情報が劣悪である場合、BPL切替が必要と判断し、品質情報が良好である場合、BPL切替が不要と判断する。BPL制御部４０１は、BPL切替が必要であるか否かを示すBPL切替情報をTPCコマンド制御部４０２へ出力する。
【０１１７】
TPCコマンド制御部４０２は、端末３００（TPCコマンド制御部３０２）と同様、BPL切替後TPCコマンドテーブル及び通常時TPCコマンドテーブルを保持する。TPCコマンド制御部４０２は、BPL制御部４０１から入力されるBPL切替情報においてBPL切替が必要であることが示される場合、BPL切替後TPCコマンドテーブルの情報をスケジューリング部２０５へ出力する。一方、TPCコマンド制御部４０２は、BPL制御部４０１から入力されるBPL切替情報においてBPL切替が不要であることが示される場合、通常時TPCコマンドテーブルの情報をスケジューリング部２０５へ出力する。
【０１１８】
次に、端末３００及び基地局４００における送信電力制御（TPCコマンドテーブルの設定方法）について詳細に説明する。
【０１１９】
例えば、端末３００（TPCコマンド制御部３０２）及び基地局４００（TPCコマンド制御部４０２）は、図１３に示すように、BPL切替が発生したタイミングからの経過slot数（又は経過時間）をカウントし、経過slot数が閾値Xを超えるか否かを判定する。そして、端末３００及び基地局４００は、判定結果に従って、使用するTPCコマンドテーブルを切り替える。具体的には、端末３００及び基地局４００は、経過slot数が閾値X以内の場合、BPL切替後TPCコマンドテーブル（例えば、図１４を参照）を使用し、経過slot数が閾値Xより大きい場合、通常時TPCコマンドテーブル（例えば、図９を参照）を使用する。
【０１２０】
なお、閾値Xは、仕様書で定義されてもよく、上位レイヤのシグナリング等によって基地局４００から端末３００に通知されてもよい。また、経過時間はslot数に限らずPUSCH等の送信回数としてもよい。
【０１２１】
ここで、図９に示す通常時TPCコマンドテーブルにおいてTPCコマンド情報（0〜7）によって通知されるTPCコマンド補正値δPUSCHの範囲は-5〜5［dB］であるのに対して、図１４に示すBPL切替後TPCコマンドテーブルでは、TPCコマンド情報（0〜7）によって通知されるTPCコマンド補正値δPUSCHの範囲は-7〜7［dB］である。
【０１２２】
すなわち、本実施の形態に係るTPCコマンドテーブル（例えば、図９及び図１４）では、Closed loop補正値のリセットを指示する指示情報が対応付けられた候補値（図９及び図１４では0）以外の候補値（図９及び図１４では1〜7）毎に、通常時に使用されるTPCコマンド補正値、及び、通常時に使用されるTPCコマンド補正値よりもステップ幅が広いBPL切替後に使用されるTPCコマンド補正値、が対応付けられる。また、BPL切替後に使用されるTPCコマンド補正値のステップ幅（図１４参照）は、通常時に使用されるTPCコマンド補正値のステップ幅よりも広く設定されている。
【０１２３】
これにより、端末３００及び基地局４００では、BPL切替直後には、通常時と比較して、ステップ幅がより広いTPCコマンド補正値δPUSCHを用いた送信電力制御が行われる。よって、端末３００及び基地局４００は、BPL間のビームゲインを含むパスロス推定誤差又はBPL間の干渉レベルが大きく異なる可能性が高いBPL切替直後において、品質誤差を補正するステップ幅を広くすることにより、送信電力制御値が最適値に収束するまでの時間を短くすることができる。
【０１２４】
よって、本実施の形態によれば、BPL切替が発生した場合でも、所望信号電力の低下又は与干渉電力の増加によりシステム性能が劣化することを防ぐことができる。
【０１２５】
（実施の形態４）
本実施の形態では、実施の形態３と同様、NRにおいて適用されるビームフォーミングを考慮したTPCコマンドテーブルの設定方法について説明する。
【０１２６】
NRでは、端末のCapability（アンテナ構成、処理能力）に応じて適用可能なビームフォーミング制御が端末毎に異なると考えられる。例えば、ビーム制御に関するCapabilityが低い端末（例えば、アンテナ数が少ない端末）は、ビーム制御に関するCapabilityが高い端末（例えば、アンテナ数が多い端末）と比較して、ビーム幅が広くなる。この場合、端末の移動又は端末周辺の障害物の影響によるビームゲインの変動は、端末に設定されるビーム幅に応じて異なると考えられる。具体的には、ビーム幅が狭い端末ほど、ビームゲインの変動が大きくなる可能性がある。
【０１２７】
また、ビームゲインの変動は、Closed loop制御によって補正可能であるが、ビーム制御に関するCapabilityの異なる端末が同一のTPCコマンドテーブルを使用すると、Closed loop補正値を最適値に追従させるための精度は端末毎に異なってしまう。このため、端末によっては所望信号電力の低下又は与干渉電力の増加によりシステム性能が劣化する可能性がある。
【０１２８】
そこで、本実施の形態では、端末のCapabilityに応じて、使用するTPCコマンドテーブルを切り替える場合について説明する。
【０１２９】
［端末の構成］
図１５は、本実施の形態に係る端末５００の構成を示すブロック図である。なお、図１５において、実施の形態１（図５）と同様の構成には同一の符号を付し、その説明を省略する。具体的には、図１５では、UE capability設定部５０１が追加されたこと、及び、TPCコマンド制御部５０２の動作が実施の形態１と異なる。
【０１３０】
UE capability設定部５０１は、端末５００のアンテナ構成、処理能力等に応じて仕様で規定されているUE capability情報を保持している。UE capability設定部５０１は、UE capability情報をTPCコマンド制御部５０２へ出力する。
【０１３１】
TPCコマンド制御部５０２は、UE capability設定部５０１から入力されるUE capability情報（ビーム制御に関するCapability情報（例えば、ビーム幅情報））に基づいて、TPCコマンド情報とTPCコマンド補正値δPUSCHとの対応付けを示すTPCコマンドテーブルを切り替える。
【０１３２】
［基地局の構成］
図１６は、本実施の形態に係る基地局６００の構成を示すブロック図である。なお、図１６において、実施の形態１（図６）と同様の構成には同一の符号を付し、その説明を省略する。具体的には、図１６では、UE capability設定部６０１が追加されたこと、及び、TPCコマンド制御部６０２の動作が実施の形態１と異なる。
【０１３３】
UE capability設定部６０１は、復調・復号部２０３から入力される、収容端末から通知されるUE capability情報をTPCコマンド制御部６０２へ出力する。
【０１３４】
TPCコマンド制御部６０２は、端末５００（TPCコマンド制御部５０２）と同様、UE capability設定部６０１から入力されるUE capability情報に基づいて、当該端末５００に対する送信電力制御において使用するTPCコマンドテーブルを切り替える。
【０１３５】
次に、端末５００及び基地局６００における送信電力制御（TPCコマンドテーブルの設定方法）について詳細に説明する。
【０１３６】
図１７は、ビーム幅が狭いビームフォーミング制御を行う端末５００に設定されるTPCコマンドテーブルの一例を示し、図１８は、ビーム幅が広いビームフォーミング制御を行う端末５００に設定されるTPCコマンドテーブルの一例を示す。
【０１３７】
図１７に示すTPCコマンドテーブルにおいてTPCコマンド情報（0〜7）によって通知されるTPCコマンド補正値δPUSCHの範囲は-6〜6［dB］であるのに対して、図１８に示すTPCコマンドテーブルでは、TPCコマンド情報（0〜7）によって通知されるTPCコマンド補正値δPUSCHの範囲は-3〜3［dB］である。
【０１３８】
すなわち、本実施の形態に係るTPCコマンドテーブル（図１７及び図１８）では、Closed loop補正値のリセットを指示する指示情報が対応付けられた候補値（図１７及び図１８では0）以外の候補値（図１７及び図１８では1〜7）毎に、狭いビーム幅を使用する端末５００に設定されるTPCコマンド補正値と、広いビーム幅を使用する端末５００に設定されるTPCコマンド補正値とが対応付けられる。また、狭いビーム幅を使用する端末５００に設定されるTPCコマンド補正値のステップ幅（図１７）は、広いビーム幅を使用する端末５００に設定されるTPCコマンド補正値のステップ幅よりも広く設定されている。
【０１３９】
これにより、端末５００及び基地局６００では、ビーム幅が狭い端末５００に対して、ビーム幅が広い端末５００と比較して、ステップ幅がより広いTPCコマンド補正値δPUSCHを用いた送信電力制御が行われる。よって、端末５００及び基地局６００は、ビームゲインの変動が大きくなる可能性が高い端末５００に対して、品質誤差を補正するステップ幅を広くすることにより、送信電力制御値が最適値に収束するまでの時間を短くすることができる。
【０１４０】
一方、端末５００及び基地局６００では、ビーム幅が広い端末５００に対して、ビーム幅が狭い端末５００と比較して、ステップ幅がより狭いTPCコマンド補正値δPUSCHを用いた送信電力制御が行われる。すなわち、端末５００及び基地局６００は、ビームゲインの変動が比較的小さい端末５００に対して、品質誤差を補正するステップ幅を不必要に広くすることを防ぎ、送信電力制御値を最適値に精度良く設定することができる。
【０１４１】
このように、本実施の形態では、端末５００及び基地局６００は、端末５００毎のUE capability情報に基づいて、TPCコマンド補正値δPUSCHを適切に選択して送信電力制御を行うことができる。これにより、本実施の形態によれば、ビーム制御に関するCapabilityが異なる端末５００毎に送信電力制御を適切に行うことができ、所望信号電力の低下又は与干渉電力の増加によりシステム性能が劣化することを防ぐことができる。
【０１４２】
なお、TPCコマンドテーブルの切替基準となる情報は、ビーム幅に限定されず、ビーム幅と関連する情報であればよい。
【０１４３】
例えば、端末５００に設定されるビーム数に応じてTPCコマンドテーブルが切り替えられてもよい。端末５００に設定されるビーム数が多いほど、ビーム幅が狭くなると考えられる。
【０１４４】
また、送信電力算出に用いるパスロス計算に用いる参照信号種別に応じてTPCコマンドテーブルが切り替えられてもよい。参照信号がCSI-RSの方が、SS(Synchronization Signal) Blockに比べて適用されるビーム幅が狭くなると考えられる。
【０１４５】
また、送信キャリア周波数に応じてTPCコマンドテーブルが切り替えられてもよい。例えば、キャリア周波数が24GHz以上のミリ波帯では、24GHz未満のキャリア周波数と比べて、アンテナ数もより多く、適用されるビーム幅が狭くなると考えられる。
【０１４６】
このように、ビーム数、パスロス推定に用いる参照信号種別、あるいは送信キャリア周波数に応じてTPCコマンドテーブルが切り替えられる場合でも、本実施の形態と同様の効果を得ることができる。
【０１４７】
以上、本開示の各実施の形態について説明した。
【０１４８】
なお、上述した「ビーム」は以下のように定義されてもよい。
(1)端末１００，３００，５００の送信指向性パターン（アナログビームフォーミングを含む）
(2)基地局２００，４００，６００の受信指向性パターン（アナログビームフォーミングを含む）
(3)端末１００，３００，５００の送信指向性パターンと基地局２００，４００，６００の受信指向性パターンとの組み合わせ（BPL）
(4)Precoding Matrix Indicator (PMI)
(5)Codebook番号
【０１４９】
また、上記実施の形態では、PUSCHの送信電力制御について説明したが、送信電力制御の対象はPUSCHに限定されず、本開示は、Closed loop補正値を用いる上りチャネルの送信電力制御に適用できる。例えば、本開示は、PUSCHの代わりに、SRS又はPUCCHに対する送信電力制御にも適用でき、同様の効果を得ることができる。
【０１５０】
また、図８−１０、図１４、図１７、図１８に示すTPCコマンドテーブルは一例であって、TPCコマンド情報の候補値数（bit数）、又は、TPCコマンド情報に対応付けられるTPCコマンド補正値は、図８−１０、図１４、図１７、図１８に示す値に限定されない。
【０１５１】
また、上記実施の形態で示した明示的なリセット通知に加えて、LTEと同様な送信電力制御用パラメータの再設定に応じた間接的なリセット通知を組み合わせてもよい。つまり、端末は、DCIに含まれるTPCコマンド情報にClosed loop補正値をリセットする指示情報が含まれる場合と、基地局から上位レイヤ通知で送信電力制御用パラメータが再設定される場合のぞれぞれでClosed loop補正値をリセットする。これにより、パラメータの再設定後に、DCIでリセット通知する必要がないので制御情報のオーバーヘッドが低減できる。
【０１５２】
本開示はソフトウェア、ハードウェア、又は、ハードウェアと連携したソフトウェアで実現することが可能である。上記実施の形態の説明に用いた各機能ブロックは、部分的に又は全体的に、集積回路であるＬＳＩとして実現され、上記実施の形態で説明した各プロセスは、部分的に又は全体的に、一つのＬＳＩ又はＬＳＩの組み合わせによって制御されてもよい。ＬＳＩは個々のチップから構成されてもよいし、機能ブロックの一部または全てを含むように一つのチップから構成されてもよい。ＬＳＩはデータの入力と出力を備えてもよい。ＬＳＩは、集積度の違いにより、ＩＣ、システムＬＳＩ、スーパーＬＳＩ、ウルトラＬＳＩと呼称されることもある。集積回路化の手法はＬＳＩに限るものではなく、専用回路、汎用プロセッサ又は専用プロセッサで実現してもよい。また、ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。本開示は、デジタル処理又はアナログ処理として実現されてもよい。さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１５３】
本開示の端末は、複数の候補値のうち何れか１つを示す送信電力制御情報を用いて上りチャネルの送信電力を制御する回路と、前記送信電力で前記上りチャネルを送信する送信機と、を具備し、前記複数の候補値のうち少なくとも１つには、前記送信電力の閉ループ制御に用いる制御値をリセットする指示情報が対応付けられる。
【０１５４】
本開示の端末において、前記複数の候補値のうち、前記指示情報に対応付けられた候補値以外の候補値には、前記制御値を補正する補正値がそれぞれ対応付けられる。
【０１５５】
本開示の端末において、前記指示情報が対応付けられた候補値以外の候補値毎に、第１の補正値、及び、前記第１の補正値よりステップ幅が広い第２の補正値が対応付けられる。
【０１５６】
本開示の端末において、前記第１の補正値は、前記端末に設定されるビームの切替後からの所定期間内において使用される。
【０１５７】
本開示の端末において、前記第１の補正値は、前記端末に設定されるビーム幅が狭い場合に使用され、前記第２の補正値は、前記端末に設定されるビーム幅が広い場合に使用される。
【０１５８】
本開示の端末において、前記複数の候補値毎に、前記制御値を補正する補正値が対応付けられ、前記補正値は、前記補正値の過去の値を累積して前記制御値を算出する第１のモードに対応する第１の補正値、及び、前記補正値の過去の値を累積せずに前記制御値を算出する第２のモードに対応する第２の補正値の何れかであり、前記指示情報は、前記第２の補正値の何れかに対応する前記候補値に対応付けられる。
【０１５９】
本開示の端末において、前記指示情報は、前記第２の補正値のうち絶対値が最も小さい値に対応する前記候補値に対応付けられる。
【０１６０】
本開示の基地局は、上りチャネルの送信電力の制御に用いる、複数の候補値のうち何れか１つを示す送信電力制御情報を生成する回路と、前記送信電力で送信された前記上りチャネルを受信する受信機と、を具備し、前記複数の候補値のうち少なくとも１つには、前記送信電力の閉ループ制御に用いる制御値をリセットする指示情報が対応付けられる。
【０１６１】
本開示の送信方法は、複数の候補値のうち何れか１つを示す送信電力制御情報を用いて上りチャネルの送信電力を制御し、前記送信電力で前記上りチャネルを送信し、前記複数の候補値のうち少なくとも１つには、前記送信電力の閉ループ制御に用いる制御値をリセットする指示情報が対応付けられる。
【０１６２】
本開示の受信方法は、上りチャネルの送信電力の制御に用いる、複数の候補値のうち何れか１つを示す送信電力制御情報を生成し、前記送信電力で送信された前記上りチャネルを受信し、前記複数の候補値のうち少なくとも１つには、前記送信電力の閉ループ制御に用いる制御値をリセットする指示情報が対応付けられる。
【０１６３】
本開示の一態様は、移動通信システムに有用である。
【符号の説明】
【０１６４】
１００，３００，５００  端末
１０１，２０１  アンテナ
１０２，２０２  無線受信部
１０３，２０３  復調・復号部
１０４，２０４，３０２，４０２，５０２，６０２  TPCコマンド制御部
１０５  送信電力制御部
１０６  データ生成部
１０７，２０７  符号化・変調部
１０８，２０８  無線送信部
２００，４００，６００  基地局
２０５  スケジューリング部
２０６  制御情報生成部
３０１  BPL切替判定部
４０１  BPL制御部
５０１，６０１  UE capability設定部
【図１】
2019069571.tif 000003
【図２】
2019069571.tif 000004
【図３】
2019069571.tif 000005
【図４】
2019069571.tif 000006
【図５】
2019069571.tif 000007
【図６】
2019069571.tif 000008
【図７】
2019069571.tif 000009
【図８】
2019069571.tif 000010
【図９】
2019069571.tif 000011
【図１０】
2019069571.tif 000012
【図１１】
2019069571.tif 000013
【図１２】
2019069571.tif 000014
【図１３】
2019069571.tif 000015
【図１４】
2019069571.tif 000016
【図１５】
2019069571.tif 000017
【図１６】
2019069571.tif 000018
【図１７】
2019069571.tif 000019
【図１８】
2019069571.tif 000020
【国際調査報告】
2019069571.tif 000021
2019069571.tif 000022
2019069571.tif 000023
2019069571.tif 000024